(57)【特許請求の範囲】
【請求項１】
売切れ検知を売切れスイッチ検知後一回販売後とする自動販売機において、最下部から二番目の商品の有無を検知する売切れスイッチ検知手段と、商品を搬出して販売を実施する搬出手段と、搬出の際に商品が収納されているコラムを同一グループとして順番に交互に搬出させる設定の有無を検知する交互販売設定検知手段と、商品が収納されている庫内を冷却または加温する冷熱装置と、商品が完売しているかどうかを検知する完売検知手段と、コラムを交互販売グループに設定する交互販売設定手段と、ランプなどの表示手段と、前記売切れスイッチ検知手段と前記搬出手段と前記交互販売設定検知手段と前記冷熱装置と前記完売検知手段と前記交互販売設定手段と前記表示手段に接続された演算制御部とからなり、前記演算制御部は、前記搬出手段にて商品搬出を行う場合、前記交互販売設定検知手段にて交互販売設定されているかを判定し、設定されていれば、前記売切れスイッチ検知手段にて同一グループコラムの売切れスイッチを確認して、売切れスイッチが検知されていないコラムを優先して搬出を行い、前記交互販売設定手段にて複数のコラムを交互販売グループに設定する際、前記完売検知手段にて設定しようとしているコラムが完売しているかどうかを判定し、完売しているコラムと完売していないコラムを交互販売の同一グループに設定する場合、前記表示手段にて、警告表示することを特徴とした自動販売機の制御装置。
【請求項２】
売切れ検知を売切れスイッチ検知後一回販売後とする自動販売機において、最下部から二番目の商品の有無を検知する売切れスイッチ検知手段と、商品を搬出して販売を実施する搬出手段と、搬出の際に商品が収納されているコラムを同一グループとして順番に交互に搬出させる設定の有無を検知する交互販売設定検知手段と、商品が収納されている庫内を冷却または加温する冷熱装置と、商品が完売しているかどうかを検知する完売検知手段と、コラムを交互販売グループに設定する交互販売設定手段と、ブザーや音声を発生させることができる音声発生手段と、前記売切れスイッチ検知手段と前記搬出手段と前記交互販売設定検知手段と前記冷熱装置と前記完売検知手段と前記交互販売設定手段と前記音声発生手段に接続された演算制御部とからなり、前記演算制御部は、前記搬出手段にて商品搬出を行う場合、前記交互販売設定検知手段にて交互販売設定されているかを判定し、設定されていれば、前記売切れスイッチ検知手段にて同一グループコラムの売切れスイッチを確認して、売切れスイッチが検知されていないコラムを優先して搬出を行い、前記交互販
売設定手段にて複数のコラムを交互販売グループに設定する際、前記完売検知手段にて設定しようとしているコラムが完売しているかどうかを判定し、完売しているコラムと完売していないコラムを交互販売の同一グループに設定しようとすれば、前記音声発生手段にて警告することを特徴とした自動販売機の制御装置。
【請求項３】
売切れ検知を売切れスイッチ検知後一回販売後とする自動販売機において、最下部から二番目の商品の有無を検知する売切れスイッチ検知手段と、商品を搬出して販売を実施する搬出手段と、搬出の際に商品が収納されているコラムを同一グループとして順番に交互に搬出させる設定の有無を検知する交互販売設定検知手段と、商品が収納されている庫内を冷却または加温する冷熱装置と、商品が収納されている庫内毎に冷加温の状態を検知することができる冷熱検知手段と、前記売切れスイッチ検知手段と前記搬出手段と前記交互販売設定検知手段と前記冷熱装置と前記冷熱検知手段に接続された演算制御部とからなり、前記演算制御部は、前記搬出手段にて商品搬出を行う場合、前記交互販売設定検知手段にて交互販売設定されているかを判定し、設定されていれば、前記売切れスイッチ検知手段にて同一グループコラムの売切れスイッチを確認して、売切れスイッチが検知されていないコラムを優先して搬出を行い、同一交互販売設定グループ内の全てのコラムにおいて商品が１つずつ残っており、どのコラムから搬出しても完売となるコラムが発生する場合に、前記冷熱検知手段により、節電機能などで冷加温が停止している庫内の商品を優先して搬出を行うことを特徴とした自動販売機の制御装置。
【発明の詳細な説明】
【技術分野】
【０００１】
本発明は、自動販売機における商品搬出装置の制御に関するものである。
【背景技術】
【０００２】
従来、自動販売機の売切れ検知スイッチは、商品収納棚と商品搬出装置との関係上、最下部の商品ではなく、最下部から二番目の商品の有無を検知する位置に設けられている。このため、収納商品を完売させるために売切れ検知スイッチが動作した後、同収納棚から販売動作が行われ、商品搬出装置が一回動作すると、完売したとして、売切れランプを点灯するようにした自動販売機が知られている（例えば、特許文献１参照）。
【先行技術文献】
【特許文献】
【０００３】
【特許文献１】特開平４−８８５９８号公報
【発明の概要】
【発明が解決しようとする課題】
【０００４】
しかしながら、前記従来の自動販売機では、複数のコラムをグループとして交互に販売していく交互販売設定されている場合に、商品搬出を繰り返していくと、自動販売機内に同一の商品が存在するにも関わらず、完売コラムが発生し、商品を収納している庫内に隙ができてしまうという課題を有していた。
【０００５】
本発明は、前記従来の課題を解決するもので、交互販売設定されているコラムにおいて完売発生を減少させ、冷熱装置の運転効率を上げて省エネにつなげることを目的としてい
る。
【課題を解決するための手段】
【０００６】
前記従来の課題を解決するために、本発明の自動販売機の制御装置は、交互販売設定されているコラムにおいて、最下部から二番目の商品の有無を検知しており、次の搬出で完売となる場合に、同一交互販売グループのコラム内に複数の商品が有ることを確認しているコラムの商品を優先して搬出させることで、完売発生を減少させるものである。
【０００７】
また、上記構成に加えて、完売しているコラムと完売していないコラムを交互販売の同一グループに設定しようとすれば、警告表示または音声にて警告することで、オペレーターに確実に適切な設定を知らせるものである。
【０００８】
また、上記構成に加えて、同一交互販売設定グループ内の全てのコラムにおいて商品が１つずつ残っており、どのコラムから搬出しても完売となるコラムが発生する場合に、節電機能などで冷加温が停止している庫内の商品を優先して搬出を行うことで、完売が発生しても、冷熱装置への影響を可能な限り抑え、省エネにつなげるものである。
【発明の効果】
【０００９】
交互販売設定されているコラムにおいて、最下部から二番目の商品の有無を検知しており、次の搬出で完売となる場合に、同一交互販売グループのコラム内に複数の商品が有ることを確認しているコラムの商品を優先して搬出させることで、完売発生を減少させるので、省エネにつなげることができる。
【００１０】
また、完売しているコラムと完売していないコラムを交互販売の同一グループに設定しようとすれば、警告表示または音声にて警告することで、オペレーターに確実に適切な設定を知らせることができる。
【００１１】
また、同一交互販売設定グループ内の全てのコラムにおいて商品が１つずつ残っており、どのコラムから搬出しても完売となるコラムが発生する場合に、冷熱検知手段により、節電機能などで冷加温が停止している庫内の商品を優先して搬出を行うことで、完売が発生しても、冷熱装置への影響を可能な限り抑え、省エネにつなげることができる。
【図面の簡単な説明】
【００１２】
【図１】本発明による自動販売機の制御装置の実施の形態１の機能ブロック図
【図２】同実施の形態による自動販売機の制御装置の動作を示すフローチャート
【図３】本発明による自動販売機の制御装置の実施の形態２の機能ブロック図
【図４】同実施の形態による自動販売機の制御装置の動作を示すフローチャート
【発明を実施するための形態】
【００１３】
請求項１に記載の発明は、売切れ検知を売切れスイッチ検知後一回販売後とする自動販売機において、最下部から二番目の商品の有無を検知する売切れスイッチ検知手段と、商品を搬出して販売を実施する搬出手段と、搬出の際に商品が収納されているコラムを同一グループとして順番に交互に搬出させる設定の有無を検知する交互販売設定検知手段と、商品が収納されている庫内を冷却または加温する冷熱装置と、商品が完売しているかどうかを検知する完売検知手段と、コラムを交互販売グループに設定する交互販売設定手段と、ランプなどの表示手段と、前記売切れスイッチ検知手段と前記搬出手段と前記交互販売設定検知手段と前記冷熱装置と前記完売検知手段と前記交互販売設定手段と前記表示手段に接続された演算制御部とからなり、前記演算制御部は、前記搬出手段にて商品搬出を行う場合、前記交互販売設定検知手段にて交互販売設定されているかを判定し、設定されていれば、前記売切れスイッチ検知手段にて同一グループコラムの売切れスイッチを確認し
て、売切れスイッチが検知されていないコラムを優先して搬出を行い、前記交互販売設定手段にて複数のコラムを交互販売グループに設定する際、前記完売検知手段にて設定しようとしているコラムが完売しているかどうかを判定し、完売しているコラムと完売していないコラムを交互販売の同一グループに設定する場合、前記表示手段にて、警告表示するものであり、次の搬出で完売となる場合に、同一交互販売グループのコラム内に複数の商品が有ることを確認しているコラムの商品を優先して搬出させることで、完売発生を減少させ、商品完売による庫内の隙を防止して、冷熱装置の運転効率を上げて省エネにつなげることができる。また、完売しているコラムと完売していないコラムを交互販売の同一グループに設定しようとすると、警告表示するので、オペレーターに確実に適切な設定を知らせることができる。
【００１４】
請求項２に記載の発明は、売切れ検知を売切れスイッチ検知後一回販売後とする自動販売機において、最下部から二番目の商品の有無を検知する売切れスイッチ検知手段と、商品を搬出して販売を実施する搬出手段と、搬出の際に商品が収納されているコラムを同一グループとして順番に交互に搬出させる設定の有無を検知する交互販売設定検知手段と、商品が収納されている庫内を冷却または加温する冷熱装置と、商品が完売しているかどうかを検知する完売検知手段と、コラムを交互販売グループに設定する交互販売設定手段と、ブザーや音声を発生させることができる音声発生手段と、前記売切れスイッチ検知手段と前記搬出手段と前記交互販売設定検知手段と前記冷熱装置と前記完売検知手段と前記交互販売設定手段と前記音声発生手段に接続された演算制御部とからなり、前記演算制御部は、前記搬出手段にて商品搬出を行う場合、前記交互販売設定検知手段にて交互販売設定されているかを判定し、設定されていれば、前記売切れスイッチ検知手段にて同一グループコラムの売切れスイッチを確認して、売切れスイッチが検知されていないコラムを優先して搬出を行い、前記交互販売設定手段にて複数のコラムを交互販売グループに設定する際、前記完売検知手段にて設定しようとしているコラムが完売しているかどうかを判定し、完売しているコラムと完売していないコラムを交互販売の同一グループに設定しようとすれば、前記音声発生手段にて警告するものであり、次の搬出で完売となる場合に、同一交互販売グループのコラム内に複数の商品が有ることを確認しているコラムの商品を優先して搬出させることで、完売発生を減少させ、商品完売による庫内の隙を防止して、冷熱装置の運転効率を上げて省エネにつなげることができる。また、完売しているコラムと完売していないコラムを交互販売の同一グループに設定しようとすれば、音声にて警告するので、オペレーターに確実に適切な設定を知らせることができる。
【００１５】
請求項３に記載の発明は、売切れ検知を売切れスイッチ検知後一回販売後とする自動販売機において、最下部から二番目の商品の有無を検知する売切れスイッチ検知手段と、商品を搬出して販売を実施する搬出手段と、搬出の際に商品が収納されているコラムを同一グループとして順番に交互に搬出させる設定の有無を検知する交互販売設定検知手段と、商品が収納されている庫内を冷却または加温する冷熱装置と、商品が収納されている庫内毎に冷加温の状態を検知することができる冷熱検知手段と、前記売切れスイッチ検知手段と前記搬出手段と前記交互販売設定検知手段と前記冷熱装置と前記冷熱検知手段に接続された演算制御部とからなり、前記演算制御部は、前記搬出手段にて商品搬出を行う場合、前記交互販売設定検知手段にて交互販売設定されているかを判定し、設定されていれば、前記売切れスイッチ検知手段にて同一グループコラムの売切れスイッチを確認して、売切れスイッチが検知されていないコラムを優先して搬出を行い、同一交互販売設定グループ内の全てのコラムにおいて商品が１つずつ残っており、どのコラムから搬出しても完売となるコラムが発生する場合に、前記冷熱検知手段により、節電機能などで冷加温が停止している庫内の商品を優先して搬出を行うものであり、次の搬出で完売となる場合に、同一交互販売グループのコラム内に複数の商品が有ることを確認しているコラムの商品を優先して搬出させることで、完売発生を減少させるので、省エネにつなげることができる。また、完売が発生しても、冷熱装置への影響を可能な限り抑え、省エネにつなげることがで
きる。
【００１６】
以下、本発明の実施の形態について、図面を参照しながら説明する。なお、この実施の形態によってこの発明が限定されるものではない。
【００１７】
（実施の形態１）
図１は、本発明の実施の形態１による自動販売機の制御装置の機能ブロック図である。図２は、同実施の形態の動作を示すフローチャートである。
【００１８】
図１において、売切れスイッチ検知手段１は、最下部から二番目の商品の有無を検知する売切れスイッチのオンオフを検知するものであり、搬出手段２は飲料購入者の購入動作を検知して商品を搬出して販売を実施するものであり、交互販売設定検知手段３は搬出コラムの交互販売設定を検知するものであり、冷熱装置４は商品が収納されている庫内を冷却または加温するものである。
【００１９】
完売検知手段５はコラム毎に商品が完売しているかどうかを検知するものであり、交互販売設定手段６はコラム毎に交互販売設定を変更できもので、表示手段７は交互販売設定時に完売コラムを設定する際に警告表示をし、さらに音声発生手段８はブザーなどで警告し知らせる。
【００２０】
演算制御部９ａは、交互販売設定手段６にて、完売検知手段５により検知した完売コラムを設定しようとした際、表示手段７および音声発生手段８でオペレーターに警告する。
【００２１】
搬出手段２にて、商品搬出を実施する際、交互販売設定検知手段３により、交互販売設定の有無を確認し、設定有りの場合は売切れ検知スイッチ１で売切れスイッチを確認し、同じ交互販売グループの中で、売切れスイッチを検知していない商品の搬出を行い、省エネにつなげる。
【００２２】
以上のように構成された自動販売機の制御装置について、以下その動作を説明する。
【００２３】
交互販売設定手段６にて（ＳＴＥＰ１１）、完売検知手段５により検知した完売コラムを設定しようとした場合（ＳＴＥＰ１２）、表示手段７および音声発生手段８（ＳＴＥＰ１３）でオペレーターに警告する。
【００２４】
搬出手段２において商品を搬出する際（ＳＴＥＰ１４）、交互販売設定検知手段３により、交互販売設定の有無を確認し（ＳＴＥＰ１５）、さらに売切れ検知スイッチ１で売切れスイッチを確認し（ＳＴＥＰ１６）、オンしていれば、完売になるとして同一交互販売設定グループの売切れスイッチを確認して搬出コラムを検索、決定し（ＳＴＥＰ１７）、商品を搬出する（ＳＴＥＰ１８）。
【００２５】
以上のように本実施の形態の自動販売機の制御装置によれば、同一交互販売グループの売切れスイッチを検知していないコラムの商品を優先して搬出させることで、省エネにつなげることができる。
【００２６】
（実施の形態２）
図３は本発明の実施の形態２による自動販売機の制御装置の機能ブロック図である。図４は、同実施の形態の動作を示すフローチャートである。なお実施の形態１と同一構成のものは、同一符号を付してその詳細な説明を省略する。
【００２７】
図３において、冷熱検知手段１０は商品が収納されている庫内毎に冷加温の状態を検知
することができ、庫内別完売検知手段１１は商品が収納されている庫内毎の完売発生状況を検知することができる。
【００２８】
演算制御部９ｂは、搬出手段２にて、商品搬出を実施する際、交互販売設定検知手段３により、交互販売設定の有無を確認し、設定有りの場合は売切れ検知スイッチ１で売切れスイッチを確認し、同じ交互販売グループの中で、売切れスイッチを検知していないコラムを搬出コラムとして決定する、同一交互販売設定グループ内のコラムが全て売切れスイッチを検知している場合、冷熱検知手段１０により冷加温が停止している庫内を検索し停止している庫内があれば該当庫内のコラムを優先して搬出コラムを決定、なければ次に庫内別完売検知手段１１にて、すでに完売が発生している庫内を検索し、完売発生庫内があれば、該当庫内のコラムを搬出コラムとして決定し、商品の搬出を行い、省エネにつなげる。
【００２９】
以上のように構成された自動販売機の制御装置について、以下その動作を説明する。
【００３０】
搬出手段２において商品を搬出する際（ＳＴＥＰ２１）、交互販売設定検知手段３により、交互販売設定の有無を確認し（ＳＴＥＰ２２）、さらに売切れ検知スイッチ１で売切れスイッチを確認し（ＳＴＥＰ２３）、オンしていれば、完売になるとして同一交互販売設定グループの売切れスイッチを確認して搬出コラムを検索、決定し（ＳＴＥＰ２４）、どの商品を搬出しても完売となる状況の場合（ＳＴＥＰ２５）、冷熱検知手段１０により、冷加温が停止している庫内を検索し停止している庫内があれば該当庫内のコラムを優先して搬出コラムを決定、なければ次に庫内別完売検知手段１１にて、すでに完売が発生している庫内を検索し、完売発生庫内があれば、該当庫内のコラムを搬出コラムとして決定し（ＳＴＥＰ２６）、商品を搬出する（ＳＴＥＰ２７）。
【００３１】
以上のように本実施の形態の自動販売機の制御装置によれば、同一交互販売グループコラムの売切れスイッチが全て検知している場合においても、冷加温が停止している庫内のコラム、すでに完売が発生している庫内のコラムの商品を優先して搬出させることで、省エネにつなげることができる。
【産業上の利用可能性】
【００３２】
以上のように、本発明にかかる自動販売機の制御装置は、交互販売設定されているコラムにおいて、売切れスイッチを検知しており、次の搬出で完売となる場合に、同一交互販売グループの売切れスイッチを検知していないコラムの商品を優先して搬出させることで、省エネにつなげることができるので、交互販売設定可能なあらゆる自動販売機器の用途に適用できる。
【符号の説明】
【００３３】
１  売切れスイッチ検知手段
２  搬出手段
３  交互販売設定検知手段
４  冷熱装置
５  完売検知手段
６  交互販売設定手段
７  表示手段
８  音声発生手段
９ａ、９ｂ  演算制御部
１０  冷熱検知手段
１１  庫内別完売検知手段
【図１】
0005487814.tif 000002
【図２】
0005487814.tif 000003
【図３】
0005487814.tif 000004
【図４】
0005487814.tif 000005